(57)【要約】【課題】空間部が形成されたプレート形状のケースの内部に、ガイド、ロッド及び弾性体を設置することによって、携帯電話に設置する時、ディスプレー部と本体部との間の間隔を最小化させることができる携帯電話のスライドモジュールを提供すること。【解決手段】本発明の携帯電話のスライドモジュールは、キーパッドが装着された本体に固定される固定プレートと、ディスプレー部が装着されたカバーに固定される移動プレートとの間に設置され、移動プレートを固定プレートに対してスライドして開閉させる携帯電話のスライドモジュールにおいて、一対の離間された空間部と、空間部のそれぞれに連通されて互いに対角線の上に位置する開放部とを有するケースと、開放部を通じて空間部の上でスライドされるロッドと、ロッドの一端に形成された固定ホールと、ロッドの他端に設置されて空間部の上でスライドされるガイドとを含むスライド部と、空間部内に設置されてガイドのスライドの時変形される弾性体とを含む。【選択図】図１
2010246086.tif 000002
【特許請求の範囲】
【請求項１】
キーパッドが装着された本体に固定される固定プレートと、ディスプレー部が装着されたカバーに固定される移動プレートとの間に設置され、上記移動プレートを固定プレートに対してスライドして開閉させる携帯電話のスライドモジュールにおいて、
一対の離間された空間部と、該空間部のそれぞれに連通されて、互いに対角線の上に位置する開放部を有するケースと、
上記開放部を通じて上記空間部の上でスライドするロッドと、上記ロッドの一端に形成された固定ホールと、上記ロッドの他端に設置されて、上記空間部の上でスライドするガイドとを有するスライド部と、
上記空間部内に設置されて、上記ガイドのスライドの時変形される弾性体とを含む携帯電話のスライドモジュール。
【請求項２】
上記ガイドの両側面には案内溝が形成され、
上記ケースの空間部の両側面には、上記開放部に対向する位置から上記ガイドの案内溝が挿入されることができるように離間して案内段差部が形成される、請求項１に記載の携帯電話のスライドモジュール。
【請求項３】
上記案内段差部の上面また下面の中央に形成されて、上記ガイドの移動を制限する段差部が形成される、請求項２に記載の携帯電話のスライドモジュール。
【請求項４】
上記開放部は、上記ケースの側面を貫通させて形成される挿入口からなる、請求項１ないし３の何れか一項に記載の携帯電話のスライドモジュール。
【請求項５】
上記それぞれの空間部に連通される挿入口は互いに離間されて一対が形成され、上記スライド部に形成されたロッドは一対が互いに離間して形成される、請求項４に記載の携帯電話のスライドモジュール。
【請求項６】
上記空間部内の一対の挿入口の間の側面には、上記弾性体の一側が結合される第１固定突起が形成され、
上記ガイドの上記挿入口の方向の側面には、上記弾性体の他側が結合される第２固定突起が形成される、請求項５に記載の携帯電話のスライドモジュール。
【請求項７】
上記開放部は上記ケースの上部を切開させて形成される切開面からなる、請求項１ないし３の何れか一項に記載の携帯用スライドモジュール。
【請求項８】
上記ロッドの中央には他側方向に長孔が形成され、
上記切開面には、上記長孔に挿入されて、上記ロッドのスライドの時、上記切開面で上記ロッドの離脱を防止する係止片が形成される、請求項７に記載の携帯電話のスライドモジュール。
【請求項９】
上記係止片は、上記切開面の上面を切開して上部方向に折曲される第１折曲部と、上記第１折曲部から上部方向に離間して折曲される第２折曲部とで形成される、請求項８に記載の携帯電話のスライドモジュール。
【請求項１０】
上記切開面の方向の上記ケースの上面には、上記弾性体の一側と結合される第１固定溝が形成され、上記ガイドの上面には、上記切開面の方向に上記空間部と連通されて、上記弾性体の他側と結合される第２固定溝が形成される、請求項７に記載の携帯電話のスライドモジュール。
【発明の詳細な説明】
【技術分野】
【０００１】
本発明は携帯電話のスライドモジュールに関し、さらに詳しくは、弾性体を利用してスライド式携帯電話のディスプレー部を本体部に対して所定距離だけ移動させると、ディスプレー部を自動にスライドさせる携帯電話のスライドモジュールに関する。
【背景技術】
【０００２】
スライド式携帯電話は、本体部とディスプレー部とを上下に折り畳んだ状態で本体部とディスプレー部との間に設置されたヒンジモジュールを利用して、ディスプレー部をスライドさせて使用する形態の携帯電話であって、ディスプレー部の上面に液晶表示装置を備えることができ、ディスプレー部の上面の広さに対応される液晶表示装置を設置することができるという長所がある。
【０００３】
このようなスライド式携帯電話のスライド動作を具現するヒンジモジュールは、一般的に弾性体の両端をディスプレー部の下面と本体部の上面に設置して、ディスプレー部の移動の時変形される弾性体の復元力を利用して、ディスプレー部を自動にスライドさせるもので、このようなヒンジモジュールに関する先行技術が下記に記載の文献に開示されている(特許文献１)。
【０００４】
この先行技術は、スプリングが挿入される第１棒と、第１棒の一側に挿入されてスプリングを加圧させる第２棒、及び第１棒と第２棒の両端部には、ディスプレー部と本体部に回転自在に結合される軸からなるスライドユニットに関し、この先行技術は、ディスプレー部を本体部の上で移動させると、圧縮されたスプリングが復元力を発生させて、ディスプレー部を自動に所望の位置まで移動させることができるようにしたものである。
【０００５】
先行技術は、スプリングの離脱が防止される第１棒を利用して、ディスプレー部を所望の位置まで移動させることができるという長所があるが、第１棒に第２棒を挿入させて移動するので、第２棒と第１棒との間で摩擦が発生する問題があり、第１棒はスプリング及び第２棒を挿入させることができる程度の厚さに形成されるので、全体的にヒンジモジュールの厚さが厚くなって、設置する時、本体部とディスプレー部との間に隙間が発生されるという問題があった。
【０００６】
【特許文献１】大韓民国特許登録第１０−０６２２３７３号公報
【発明の概要】
【発明が解決しようとする課題】
【０００７】
本発明は、空間部が形成されたプレート形状のケースの内部に、ガイド、ロッド及び弾性体を設置することによって、携帯電話に設置するとき、ディスプレー部と本体部との間の間隔を最小化させることができる携帯電話のスライドモジュールを提供することを目的とする。
【０００８】
また、本発明は、弾性体の両端部をガイドとケースに固定させることによって、干渉されることなく、弾性体が変形されることができる携帯電話のスライドモジュールを提供することを他の目的とする。
【０００９】
また、本発明はスライドされるロッドをケースまたは係止片によって支持されることができるようにすることによって、ディスプレー部のスライドの時ロッドの変形が防止される携帯電話のスライドモジュールを提供することを他の目的とする。
【課題を解決するための手段】
【００１０】
本発明の上記目的は、キーパッドが装着された本体に固定される固定プレートと、ディスプレー部が装着されたカバーに固定される移動プレートとの間に設置されて、移動プレートを固定プレートに対してスライドして開閉させる携帯電話のスライドモジュールにおいて、一対の離間された空間部と、空間部のそれぞれに連通されて互いに対角線の上に位置する開放部とを有するケースと、開放部を通じて空間部の上でスライドされるロッドと、ロッドの一端に形成された固定ホールと、ロッドの他端に設置されて空間部の上でスライドするガイドとを含むスライド部と、空間部内に設置されて、ガイドのスライドの時変形される弾性体とを含む携帯電話のスライドモジュールによって達成される。
【００１１】
この場合、ガイドの両側面には案内溝が形成され、ケースの空間部の両側面には開放部に対向される位置からガイドの案内溝が挿入されることができるように離間して案内段差部が形成されることが好ましい。
【００１２】
また、案内段差部の上面または下面の中央に形成されて、ガイドの移動を制限する段差部が形成されることが好ましい。
【００１３】
また、開放部はケースの側面を貫通させて形成される挿入口からなることが好ましい。
【００１４】
また、空間部内の一対の挿入口の間の側面には、弾性体の一側が結合される第１固定突起が形成され、ガイドの挿入口の方向の側面には、弾性体の他側が結合される第２固定突起が形成されることが好ましい。
【００１５】
また、開放部はケースの上部を切開させて形成される切開面からなることが好ましい。
【００１６】
また、ロッドの中央には他側方向に長孔が形成され、切開面には長孔に挿入されて、ロッドのスライドの時切開面でロッドの離脱を防止する係止片が形成されることが好ましい。
【００１７】
また、係止片は切開面の上面を切開して、上部方向に折曲される第１折曲部と、第１折曲部から上部方向に離間して折曲される第２折曲部とで形成されることが好ましい。
【００１８】
また、切開面の方向のケースの上面には、弾性体の一側と結合される第１固定溝が形成され、ガイドの上面には切開面の方向に空間部と連通されて弾性体の他側と結合される第２固定溝が形成されることが好ましい。
【発明の効果】
【００１９】
従って、本発明の携帯電話のスライドモジュールは、弾性体が挿入される空間を有するケースを利用して、よりスリム化された携帯電話のスライドモジュールを提供することができるという效果がある。
【００２０】
また、弾性体の両端部のみを固定させることによって、弾性体の変形の時干渉されない携帯電話のスライドモジュールを提供することができるという效果がある。
【００２１】
また、ケースの厚さに対応される厚さを有するガイド、ロッド及び弾性体をケースの内部に設置することによって、よりスリム化された携帯電話のスライドモジュールを提供することができるという效果がある。
【図面の簡単な説明】
【００２２】
【図１】本発明の好ましい一実施形態による携帯電話用スライドモジュールの斜視図。
【図２】図１に示した携帯電話用スライドモジュールの分解斜視図。
【図３】図１に示した携帯電話用スライドモジュールの作動図。
【図４】本発明の他の実施形態による携帯電話のスライドモジュールの斜視図。
【図５】図４に示した携帯電話のスライドモジュールの分解斜視図。
【発明を実施するための最良の形態】
【００２３】
この明細書及び特許請求の範囲に用いた用語は、通常または辞書的な意味に限定して解釈してはならず、発明者は自分の発明を最も最善の方法で説明するために、用語の概念を適法に定義することができるという原則に即して、本発明の技術思想に符合する意味と概念に解釈されるべきである。
【００２４】
従って、本明細書に記載された実施形態と図面に図示された構成は、本発明の最も好ましい一実施形態に過ぎず、本発明の技術思想を全て代弁するものではない。従って、本出願の時点において、これらを代替することができる多様な均等物と変形例があり得ることを理解しなければならない。
【００２５】
以下、添付された図面を参照して本発明の好ましい実施形態を詳しく説明する。まず本明細書で用いた方向について簡単に説明すると、本明細書で用いられる前方、後方は、図１に示した弾性体３０を基準に弾性体３０の左端部の方向を前方とし、それに対向する方向である右端部の方向を後方として、これを基準に左側及び右側を定義する。
【００２６】
図１は、本発明の好ましい一実施形態に係る携帯電話のスライドモジュール１の斜視図で、図２は、図１に示した携帯電話のスライドモジュール１の分解斜視図で、図３は、図１に示した携帯電話のスライドモジュール１の作動図である。
【００２７】
図１によれば、携帯電話のスライドモジュール１は、大まかにケース１０と、ケース１０に挿入されるロッドが形成されるスライド部２０及びケース１０の内部に設置される弾性体３０とで構成される。
【００２８】
ケース１０は、スライド部２０及び弾性体３０が設置されるもので、図１に示したように、長方形の空間部１２が形成された四角プレートが一側面を共有した形状に形成される。
【００２９】
このようなケース１０は、キーパッドが設置される本体の固定プレート３と、ディスプレー部が設置されるカバーの移動プレート５との間に設置されるもので、その厚さが厚いと、固定プレート３と移動プレート５との間に隙間が広く形成されるので、できるだけ薄く形成することが好ましい。
【００３０】
しかし、薄すぎると、ケース１０に設置される弾性体３０及びスライド部２０の製作が困難で、ケース１０の耐久性が劣るという問題があるので、約０．５mm程度の厚さに形成されることが好ましい。
【００３１】
このようなケース１０の空間部１２には、図２に示したように、案内段差部１４、段差部１６、挿入口１８及び第１固定突起１０ａが形成されている。
【００３２】
案内段差部１４は、背面視の時、ガイド２６の案内溝２８が挿入されて、ガイド２６の運動を案内するもので、左側に形成された空間部１２を基準に見ると、空間部１２の前方の内側面から離間して空間部１２の内側の左側面及び右側面に突出して形成されている。
【００３３】
案内段差部１４の形成の時、空間部１２の前方の内側面から形成される案内段差部１４の離間距離は、ケース１０の内部にガイド２６を結合させる場合、ガイド２６が空間部１２の前方の方向で案内段差部１４に結合されることができるようにガイド２６の幅に対応されている。
【００３４】
このような案内段差部１４の上面または下面には、案内段差部１４の上で移動するガイド２６の移動を制限する段差部１６が形成されている。
【００３５】
段差部１６は、案内段差部１４の前方の端部から後方にスライド部２０の必要なスライド距離だけ離間して形成されるもので、ケース１０の上面と同一の高さを有するように形成されている。
【００３６】
挿入口１８は、スライド部２０のロッド２２が空間部１２に挿入される開放部の機能をするもので、左側の空間部を基準に見ると、挿入口１８は、空間部１２内の後方の内側面に形成されている。
【００３７】
この場合、挿入口１８は、挿入口１８を通じて空間部１２に挿入されるロッド２２が空間部１２の左右側の内側面に当接されるように、空間部１２の後方の内側面の上で空間部１２の左右側の内側面に隣接して形成され、挿入口１８と挿入口１８の間の空間部１２の後方の内側面には、図２に示したように、弾性体３０の一端が固定される第１固定突起１０ａが形成されている。
【００３８】
第１固定突起１０ａは、空間部の後方の内側面に突出して形成されてもよいが、このような場合、空間部１２が狭くなり、図２に示したように、第１固定突起１０ａが形成される部分の隣接した部分を切開して第１固定突起１０ａを形成することが好ましい。
【００３９】
スライド部２０は、ケース１０の挿入口１８を通じて空間部１２に挿入されて、空間部１２の左右側の内側面に当接され、スライドされるロッド２２と、ロッド２２の一側端部に形成されて、固定プレート３または移動プレート５と回転自在に結合される固定ホール２４ａが形成されたヒンジ部２４と、ロッド２２の他側の端部に形成されるガイド２６とで構成されるので、ケース１０の左側の空間部１２に挿入されるスライド部２０を中心に説明すると下記の通りである。
【００４０】
ヒンジ部２４は、スライド部２０の本体作用をするもので、中央に固定ホール２４ａが形成された半円のプレート形状に形成されている。
【００４１】
このようなヒンジ部２４の後方の方向の側面には、一対のロッド２２が挿入口１８を通じて空間部１２に挿入されることができるように離間して形成されている。
【００４２】
ガイド２６はロッド２２の端部に結合されて、ロッド２２の移動を制限するもので、四角プレートの形状に形成され、左右側面には、案内段差部１４に対応される形状に形成される案内溝２８が形成されて案内段差部１４が嵌められることができるようにする。
【００４３】
また、ガイド２６の後方の側面には、弾性体３０の他端が固定されるように第１固定突起１０ａに対応する第２固定突起２６ａが形成されている。
【００４４】
図２によれば、ケース１０にスライド部２０が設置される過程を左側の空間部１２に挿入されるスライド部２０を中心に説明すると下記の通りである。
【００４５】
スライド部２０に形成された一対のロッド２２を空間部１２と連通された挿入口１８を通じて空間部１２で挿入させ、ガイド２６の案内溝２８に案内段差部１４を挿入させた後、ガイド２６の後方の側面とロッド２２の端部を結合させて、ケース１０にスライド部２０を設置し、ケース１０にスライド部２０が設置されると、第１固定突起１０ａと第２固定突起２６ａとの間に弾性体３０を設置する。
【００４６】
この場合に用いられる弾性体３０は、引長コイルスプリングで、引張コイルスプリングは、第１固定突起１０ａから案内段差部１４の上に形成された段差部１６の長さに対応される長さに形成される。
【００４７】
従って、図１に示したように、スライド部２０が前方に移動すると、第１固定突起１０ａと第２固定突起２６ａとの間に設置された弾性体３０は引っ張られてスライド部２０を後方に移動させる復元力を発生させる。
【００４８】
このような携帯電話のスライドモジュール１は、図３に示したように、固定プレート３と移動プレート５との間に設置されている。
【００４９】
ａは、本体部にディスプレー部が折り畳まれた状態を示したもので、弾性体３０は、変形されていない状態で、第１固定突起１０ａと第２固定突起２６ａとの間に設置されている。
【００５０】
この状態で、移動プレート５が固定プレート３の上でスライドすると、携帯電話のスライドモジュール１のスライド部２０は、ケース１０の内側に移動しながら回転することになり、このようなスライド部２０の移動によって弾性体３０は引っ張られる。
【００５１】
このような弾性体３０の引張は、ｂに示したように、移動プレート５の移動方向に垂直する方向に携帯電話のスライドモジュール１が回転するまで引張され、このような携帯電話のスライドモジュール１の回転角度を越えて移動プレート５がスライドされると、引張された弾性体３０は、移動プレート５に復元力を伝送して、ディスプレー部（図示せず）を本体部（図示せず）から離間させることになる。
【００５２】
また、図４は、本発明の他の実施形態に係る携帯電話のスライドモジュールの斜視図で、図５は、図４に示した携帯電話のスライドモジュールの分解斜視図である。図４及び図５に示した符号と上記図面における同一符号は同一の部材を示す。
【００５３】
図４及び図５によれば、ケース１０の前方及び後方の方向には、切開面１８´が形成されている。
【００５４】
切開面１８´は、挿入口１８とともにロッド２２が空間部１２内でスライドする時、ロッド２２の一部をケース１０の外部に移動させることができる空間で、図５に示したように、ケース１０の上部をロッド２２の幅に対応される幅に切開して形成されている。
【００５５】
切開面１８´からケース１０の上面までの高さは、空間部１２内でロッド２２のスライドの時、ケース１０の上面にロッド２２が突出されないようにロッド２２の厚さと同一または若干大きく形成することが好ましい。
【００５６】
切開面１８´の上面に形成される係止片１９は切開面１８´の上でロッドの離脱を防止する機能を果たす。
【００５７】
このような係止片１９は、図５に示したように、切開面１８´の中央を「コ」字状に切開して、上部方向に折曲させて形成されるもので、切開面１８´と当接する面に形成される第１折曲部１９ａと、第１折曲部１９ａから上部方向に離間されてケース１０の上面と平行な方向に折曲される第２折曲１９ｂとで形成される。
【００５８】
長孔２３は、ロッド２２の中央から他側の方向にロッド２２を切開して形成される長い溝で、上記で説明した係止片１９が挿入される。
【００５９】
この場合、係止片は切開面１８´を基準に「Γ」状に折曲されて、長孔２３に挿入されるので、長孔２３の下部には第１折曲部１９ａが位置し、上部には第２折曲部１９ｂが位置することになる。
【００６０】
また、長孔２３の上部には、第２折曲部１９から折曲される係止片１９の上端部１９ｃが位置するようになる。
【００６１】
従って、ロッド２２のスライドの時、長孔２３に挿入された係止片１９は、図４に示したように、切開面１８´の上でロッド２２の離脱を防止する。
【００６２】
ガイド２６とケース１０との間に挿入される弾性体３０は、引張コイルスプリングで切開面１８´の両側に位置したケース１０の上部面で空間部１２に連通して形成された第１固定溝１０ａ´に挿入された後固定されて、ガイド２６の上部面で空間部１２に連通して形成される第１固定溝２６ａ´に挿入して固定される。
【符号の説明】
【００６３】
１、１    携帯電話のスライドモジュール  
３    固定プレート
５    移動プレート  
１０    ケース
１０ａ    第１固定突起  
１２    空間部
１４    案内段差部  
１６    段差部
１８    挿入口  
１８´    切開面
１９    係止片  
１９ａ    第１折曲部
１９ｂ    第２折曲部  
２０    スライド部
２２    ロッド  
２４    ヒンジ部
２４ａ    固定ホール  
２６    ガイド
２６ａ    第２固定突起  
２８    案内溝
３０    弾性体
【図１】
2010246086.tif 000003
【図２】
2010246086.tif 000004
【図３】
2010246086.tif 000005
【図４】
2010246086.tif 000006
【図５】
2010246086.tif 000007